(57)【要約】【課題】  作業電流を低減可能なＵＳＢ伝送インタフェース装置の提供。【解決手段】  ＵＳＢクライアント側装置内のクライアント側機能モジュールがクライアント側ＵＳＢコントローラに電気的に接続され、クライアント側ＵＳＢコントローラがＵＳＢ改良式バス及びクライアント側ＵＳＢ物理層にそれぞれ接続され、クライアント側ＵＳＢ物理層が更にＵＳＢ標準バスに電気的に接続され、ＵＳＢ標準バスを介してＵＳＢクライアント側装置がホストＵＳＢ物理層を具えた外在ホストに接続可能とされ、ＵＳＢ改良式バスを介してＵＳＢクライアント側装置がホストＵＳＢ物理層を具備しない外在ホストに接続可能とされ、ＵＳＢクライアント側装置及び外在ホストがいずれもＵＳＢ改良式バスによりＵＳＢ物理層を不設置或いはアイドリングするかを選択でき、大幅にＵＳＢ伝送インタフェース装置間の作業電流使用量を減らせる。【選択図】        図３
2005301966.tif 000002
【特許請求の範囲】
【請求項１】
作業電流を低減可能なユニバーサルシリアルバス伝送インタフェース装置において、ＵＳＢホストとＵＳＢクライアント側装置を具え、
該ＵＳＢホストは内部にＣＰＵを具え、該ＣＰＵがホストＵＳＢコントローラに電気的に接続され、
該ＵＳＢクライアント側装置は内部にクライアント側機能モジュールを具え、該クライアント側機能モジュールがクライアント側ＵＳＢコントローラに電気的に接続され、該クライアント側ＵＳＢコントローラがＵＳＢ改良式バスにより選択的にホストＵＳＢコントローラに接続されるか或いは直接ＣＰＵに接続されることを特徴とする、作業電流を低減可能なユニバーサルシリアルバス伝送インタフェース装置。
【請求項２】
作業電流を低減可能なユニバーサルシリアルバス伝送インタフェース装置において、ＵＳＢホストと、ＵＳＢクライアント側装置、ＵＳＢ改良式バス、ＵＳＢ標準バスを具え、  該ＵＳＢホストは内部にＣＰＵを具え、該ＣＰＵがホストＵＳＢコントローラに電気的に接続され、該ホストＵＳＢコントローラがホストＵＳＢ物理層に電気的に接続され、
該ＵＳＢクライアント側装置は内部にクライアント側機能モジュールを具え、該クライアント側機能モジュールがクライアント側ＵＳＢコントローラに電気的に接続され、該クライアント側ＵＳＢコントローラがクライアント側ＵＳＢ物理層に電気的に接続され、
該ＵＳＢ改良式バスは、一端がクライアント側ＵＳＢコントローラに接続され、もう一端が選択的に該ホストＵＳＢコントローラに接続されるか或いは直接ＣＰＵに接続され、  該ＵＳＢ標準バスは、該ホストＵＳＢ物理層とクライアント側ＵＳＢ物理層を接続することを特徴とする、作業電流を低減可能なユニバーサルシリアルバス伝送インタフェース装置。
【請求項３】
作業電流を低減可能なユニバーサルシリアルバス伝送インタフェース装置において、ＵＳＢホストを具え、該ＵＳＢホストの内部に、ＣＰＵが設けられ、該ＣＰＵがホストＵＳＢコントローラに電気的に接続され、該ホストＵＳＢコントローラがＵＳＢ改良式バスによりＵＳＢクライアント側装置に接続されたことを特徴とする、作業電流を低減可能なユニバーサルシリアルバス伝送インタフェース装置。
【請求項４】
作業電流を低減可能なユニバーサルシリアルバス伝送インタフェース装置において、ＵＳＢホストを具え、該ＵＳＢホストの内部に、ＣＰＵが設けられ、該ＣＰＵがＵＳＢ改良式バスによりＵＳＢクライアント側装置に接続されたことを特徴とする、作業電流を低減可能なユニバーサルシリアルバス伝送インタフェース装置。
【請求項５】
作業電流を低減可能なユニバーサルシリアルバス伝送インタフェース装置において、ＵＳＢホストを具え、該ＵＳＢホストの内部に、ＣＰＵが設けられ、該ＣＰＵがホストＵＳＢコントローラに電気的に接続され、ホストＵＳＢコントローラが更にホストＵＳＢ物理層に電気的に接続され、該ホストＵＳＢコントローラがＵＳＢ改良式バスによりＵＳＢクライアント側装置に接続され、ホストＵＳＢ物理層がＵＳＢ標準バスにより別のＵＳＢクライアント側装置に接続されたことを特徴とする、作業電流を低減可能なユニバーサルシリアルバス伝送インタフェース装置。
【請求項６】
作業電流を低減可能なユニバーサルシリアルバス伝送インタフェース装置において、ＵＳＢクライアント側装置を具え、該ＵＳＢクライアント側装置の内部にクライアント側機能モジュールが設けられ、該クライアント側機能モジュールが電気的にクライアント側ＵＳＢコントローラに接続され、該クライアント側ＵＳＢコントローラがＵＳＢ改良式バスにより外在ホストに接続可能とされたことを特徴とする、作業電流を低減可能なユニバーサルシリアルバス伝送インタフェース装置。
【請求項７】
請求項６記載の作業電流を低減可能なユニバーサルシリアルバス伝送インタフェース装置において、ＵＳＢクライアント側装置が更にインタフェースを具え、該インタフェースが、ｘＤ、メモリースティック、ＭＳプロ（ＭＳＰｒｏ）、ＣＦカード、ＳＤ、ＭＭＣ或いはスマートメディア（登録商標）のいずれかとされたことを特徴とする、作業電流を低減可能なユニバーサルシリアルバス伝送インタフェース装置。
【請求項８】
作業電流を低減可能なユニバーサルシリアルバス伝送インタフェース装置において、ＵＳＢクライアント側装置を具え、該ＵＳＢクライアント側装置の内部にクライアント側機能モジュールが設けられ、該クライアント側機能モジュールが電気的にクライアント側ＵＳＢコントローラに接続され、該クライアント側ＵＳＢコントローラがクライアント側ＵＳＢ物理層に電気的に接続され、該クライアント側ＵＳＢコントローラがＵＳＢ改良式バスにより外在ホストに接続可能とされ、該クライアント側ＵＳＢ物理層がＵＳＢ標準バスで別の外在ホストに接続可能とされたことを特徴とする、作業電流を低減可能なユニバーサルシリアルバス伝送インタフェース装置。
【発明の詳細な説明】
【技術分野】
【０００１】
本発明は一種のＵＳＢ伝送インタフェース装置に係り、特に、作業電流を低減可能なユニバーサルシリアルバス（ＵＳＢ）伝送インタフェース装置であって、製品設計に有利で使用上の便利性を具えたＵＳＢ伝送インタフェース装置に関する。
【背景技術】
【０００２】
ＵＳＢは情報製品上のシリアル伝送インタフェースの一種であり、近年の推奨により、すでに新時代の情報製品インタフェースの代表となっている。それは簡単に且つ速やかに複数の情報製品を接続でき、並びに情報製品のケースを開けることなく接続が必要な外接装置を取り付けることができ、ケースを開けてカードを挿入する面倒を免除する。ＵＳＢ相容装置は使用者に使用上の便利性、拡充性及び高い伝送速度の長所を提供するため、広く各種のコンピュータ周辺装置、情報家電製品（ＩＡ）或いは３Ｃ消費性電子製品中に応用され、人々の仕事と家庭生活中にあって不可欠の工具となっている。
【０００３】
図１は周知のＵＳＢ伝送インタフェース装置の構造表示図である。一般にＵＳＢ伝送インタフェース装置はＵＳＢホスト（Ｈｏｓｔ）１５及びＵＳＢクライアント側装置（Ｃｌｉｅｎｔ）１１の二種類に分けられ、その間のＵＳＢ標準バス１９が二つの装置間のデータ伝送線とされている。そのうち、該ＵＳＢクライアント側装置１１内にクライアント側機能モジュール１１１、例えばメモリ媒体等が設けられ、クライアント側機能モジュール１１１は電気的にクライアント側ＵＳＢコントローラ１１３に接続可能で、クライアント側ＵＳＢコントローラ１１３は更にクライアント側ＵＳＢ物理層１１５に電気的に接続される。このほか、該ＵＳＢホスト１５（又は外在ホストと称する）内にＣＰＵ（中央処理ユニット）１５１が設けられ、ＣＰＵ１１５はＣＰＵローカルバス１５２或いは直接接続方式でホストＵＳＢコントローラ１５３に電気的に接続され、ホストＵＳＢコントローラ１５３は更にホストＵＳＢ物理層１５５に電気的に接続される。
【０００４】
また、ＵＳＢ標準バス（Ｓｔａｎｄａｒｄ−ＵＳＢ）１９は特に実体伝送線を指し、それは４本の回路構造、即ち、それぞれＶＢＵＳ、Ｄ＋、Ｄ−及び接地線を具えたバスとされ、Ｄ＋とＤ−を利用してデータ伝送し、ＶＢＵＳの電源はＵＳＢホスト１５或いは電源供給器（図示せず）により選択的に提供される。Ｄ＋、Ｄ−は差動対（Ｄｉｆｆｅｒｅｎｔｉａｌ  Ｐａｉｒ）回路設計とされるため、クライアント側ＵＳＢ物理層１１５及びホストＵＳＢ物理層１５５をデジタル信号転化の作用装置とし、並びにこれにより同じデータの伝送速度を実現する必要がある。このため、クライアント側ＵＳＢ物理層１１５或いはホストＵＳＢ物理層１５５内に対応する必然の部品設計の存在が必要となり、それは例えばＰＬＬ回路（Ｐｈａｓｅ  Ｌｏｃｋｅｄ  Ｌｏｏｐ；位相同期回路）、データ／クロックリカバリー回路（Ｄａｔａ／Ｃｌｏｃｋ  Ｒｅｃｏｖｅｒｙ）、及び伝送線末端回路（Ｔｒａｎｓｍｉｓｓｉｏｎ  Ｔｅｒｍｉｎａｔｉｏｎ）等とされ、このような部品は大量の作業電流、即ち少なくとも５５ｍＡ以上の作業電流を消耗する。
【０００５】
クライアント側ＵＳＢ物理層１１５或いはホストＵＳＢ物理層１５５の存在により、ＵＳＢ伝送インタフェース装置は設計上或いは使用上、ある基本的な問題に直面する。即ち、各部品がいずれも使用する作業電流量の制限を有することで、そうでなければその他の部品が運転操作時に厳重な影響と妨害を受けることになる。上述の部品の設計上或いは使用上の制限は、移動式或いは操作電流が小さいＵＳＢ伝送インタフェース装置に対しては特に厳しくなり、例えば３Ｃ消費性電子製品或いはモバイル装置ではそれがＵＳＢホストの役割を演じられなくなり、このためＵＳＢ伝送インタフェース装置の設計時の困難度が増し、またＵＳＢ伝送インタフェース装置の使用時の問題が厳重となる。
【発明の開示】
【発明が解決しようとする課題】
【０００６】
このため、効果的に作業電流量を低減でき、製品設計に有利で使用上の便利性を有するＵＳＢ伝送インタフェース装置の提供が本発明の重点である。
【０００７】
本発明の主要な目的は、一種の作業電流を低減可能なＵＳＢ伝送インタフェース装置を提供することにあり、それは、ＵＳＢ改良式バスをＵＳＢ物理層及びＵＳＢ標準バスに代わりに採用することで、徹底的に従来の技術のＵＳＢ伝送インタフェース装置においてＵＳＢ物理層及びＵＳＢ標準式バスの存在により電源消耗が過大となる欠点を解決できる装置であるものとする。
【０００８】
本発明の次の目的は、一種の作業電流を低減可能なＵＳＢ伝送インタフェース装置を提供することにあり、それは、ＵＳＢ伝送インタフェース装置内のＵＳＢ物理層設計を省略或いはアイドリングすることで、効果的にＵＳＢ伝送インタフェース装置の電流使用量を低減し、並びにこれによりＵＳＢ伝送インタフェース装置の設計上、及び使用上の便利性を高める装置であるものとする。
【０００９】
本発明の別の目的は、一種の作業電流を低減可能なＵＳＢ伝送インタフェース装置を提供することにあり、それは、ＵＳＢ伝送インタフェース装置の適用範囲及び製品の種類を拡大できる装置であるものとする。
【００１０】
上述の目的のために、本発明の好ましい実施例は、ＵＳＢホスト及びＵＳＢクライアント側装置を具え、該ＵＳＢホストは内部にＣＰＵを具え、ＣＰＵは電気的にホストＵＳＢコントローラに接続され、該ＵＳＢクライアント側装置は内部にクライアント側機能モジュールを具え、クライアント側機能モジュールはクライアント側ＵＳＢコントローラに電気的に接続され、クライアント側ＵＳＢコントローラはＵＳＢ改良式バスにより選択的にホストＵＳＢコントローラに接続されるか或いは直接ＣＰＵに接続される。
【００１１】
また、本発明の別の実施例は、ＵＳＢホストとＵＳＢクライアント側装置、ＵＳＢ改良式バス、及びＵＳＢ標準バスを具え、ＵＳＢホストは内部にＣＰＵを具え、該ＣＰＵはホストＵＳＢコントローラに電気的に接続され、該ホストＵＳＢコントローラは更にホストＵＳＢ物理層に電気的に接続され、該ＵＳＢクライアント側装置は内部にクライアント側機能モジュールを具え、クライアント側機能モジュールはクライアント側ＵＳＢコントローラに電気的に接続され、クライアント側ＵＳＢコントローラは更にクライアント側ＵＳＢ物理層に電気的に接続される。該ＵＳＢ改良式バスはその一端がクライアント側ＵＳＢコントローラに接続され、もう一端が選択的にホストＵＳＢコントローラに接続されるか直接ＣＰＵに接続され、該ＵＳＢ標準バスは、ホストＵＳＢ物理層及びクライアント側ＵＳＢ物理層を接続するのに用いられる。
【課題を解決するための手段】
【００１２】
請求項１の発明は、作業電流を低減可能なユニバーサルシリアルバス伝送インタフェース装置において、ＵＳＢホストとＵＳＢクライアント側装置を具え、
該ＵＳＢホストは内部にＣＰＵを具え、該ＣＰＵがホストＵＳＢコントローラに電気的に接続され、
該ＵＳＢクライアント側装置は内部にクライアント側機能モジュールを具え、該クライアント側機能モジュールがクライアント側ＵＳＢコントローラに電気的に接続され、該クライアント側ＵＳＢコントローラがＵＳＢ改良式バスにより選択的にホストＵＳＢコントローラに接続されるか或いは直接ＣＰＵに接続されることを特徴とする、作業電流を低減可能なユニバーサルシリアルバス伝送インタフェース装置としている。
請求項２の発明は、作業電流を低減可能なユニバーサルシリアルバス伝送インタフェース装置において、ＵＳＢホストと、ＵＳＢクライアント側装置、ＵＳＢ改良式バス、ＵＳＢ標準バスを具え、
該ＵＳＢホストは内部にＣＰＵを具え、該ＣＰＵがホストＵＳＢコントローラに電気的に接続され、該ホストＵＳＢコントローラがホストＵＳＢ物理層に電気的に接続され、
該ＵＳＢクライアント側装置は内部にクライアント側機能モジュールを具え、該クライアント側機能モジュールがクライアント側ＵＳＢコントローラに電気的に接続され、該クライアント側ＵＳＢコントローラがクライアント側ＵＳＢ物理層に電気的に接続され、
該ＵＳＢ改良式バスは、一端がクライアント側ＵＳＢコントローラに接続され、もう一端が選択的に該ホストＵＳＢコントローラに接続されるか或いは直接ＣＰＵに接続され、  該ＵＳＢ標準バスは、該ホストＵＳＢ物理層とクライアント側ＵＳＢ物理層を接続することを特徴とする、作業電流を低減可能なユニバーサルシリアルバス伝送インタフェース装置としている。
請求項３の発明は、作業電流を低減可能なユニバーサルシリアルバス伝送インタフェース装置において、ＵＳＢホストを具え、該ＵＳＢホストの内部に、ＣＰＵが設けられ、該ＣＰＵがホストＵＳＢコントローラに電気的に接続され、該ホストＵＳＢコントローラがＵＳＢ改良式バスによりＵＳＢクライアント側装置に接続されたことを特徴とする、作業電流を低減可能なユニバーサルシリアルバス伝送インタフェース装置としている。
請求項４の発明は、作業電流を低減可能なユニバーサルシリアルバス伝送インタフェース装置において、ＵＳＢホストを具え、該ＵＳＢホストの内部に、ＣＰＵが設けられ、該ＣＰＵがＵＳＢ改良式バスによりＵＳＢクライアント側装置に接続されたことを特徴とする、作業電流を低減可能なユニバーサルシリアルバス伝送インタフェース装置としている。
請求項５の発明は、作業電流を低減可能なユニバーサルシリアルバス伝送インタフェース装置において、ＵＳＢホストを具え、該ＵＳＢホストの内部に、ＣＰＵが設けられ、該ＣＰＵがホストＵＳＢコントローラに電気的に接続され、ホストＵＳＢコントローラが更にホストＵＳＢ物理層に電気的に接続され、該ホストＵＳＢコントローラがＵＳＢ改良式バスによりＵＳＢクライアント側装置に接続され、ホストＵＳＢ物理層がＵＳＢ標準バスにより別のＵＳＢクライアント側装置に接続されたことを特徴とする、作業電流を低減可能なユニバーサルシリアルバス伝送インタフェース装置としている。
請求項６の発明は、作業電流を低減可能なユニバーサルシリアルバス伝送インタフェース装置において、ＵＳＢクライアント側装置を具え、該ＵＳＢクライアント側装置の内部にクライアント側機能モジュールが設けられ、該クライアント側機能モジュールが電気的にクライアント側ＵＳＢコントローラに接続され、該クライアント側ＵＳＢコントローラがＵＳＢ改良式バスにより外在ホストに接続可能とされたことを特徴とする、作業電流を低減可能なユニバーサルシリアルバス伝送インタフェース装置としている。
請求項７の発明は、請求項６記載の作業電流を低減可能なユニバーサルシリアルバス伝送インタフェース装置において、ＵＳＢクライアント側装置が更にインタフェースを具え、該インタフェースが、ｘＤ、メモリースティック、ＭＳプロ（ＭＳＰｒｏ）、ＣＦカード、ＳＤ、ＭＭＣ或いはスマートメディア（登録商標）のいずれかとされたことを特徴とする、作業電流を低減可能なユニバーサルシリアルバス伝送インタフェース装置としている。
請求項８の発明は、作業電流を低減可能なユニバーサルシリアルバス伝送インタフェース装置において、ＵＳＢクライアント側装置を具え、該ＵＳＢクライアント側装置の内部にクライアント側機能モジュールが設けられ、該クライアント側機能モジュールが電気的にクライアント側ＵＳＢコントローラに接続され、該クライアント側ＵＳＢコントローラがクライアント側ＵＳＢ物理層に電気的に接続され、該クライアント側ＵＳＢコントローラがＵＳＢ改良式バスにより外在ホストに接続可能とされ、該クライアント側ＵＳＢ物理層がＵＳＢ標準バスで別の外在ホストに接続可能とされたことを特徴とする、作業電流を低減可能なユニバーサルシリアルバス伝送インタフェース装置としている。
【発明の効果】
【００１３】
本発明の作業電流を低減可能なＵＳＢ伝送インタフェース装置は、ＵＳＢ改良式バスをＵＳＢ物理層及びＵＳＢ標準バスに代わりに採用することで、徹底的に従来の技術のＵＳＢ伝送インタフェース装置においてＵＳＢ物理層及びＵＳＢ標準式バスの存在により電源消耗が過大となる欠点を解決できる。また、本発明の作業電流を低減可能なＵＳＢ伝送インタフェース装置は、ＵＳＢ伝送インタフェース装置内のＵＳＢ物理層設計を省略或いはアイドリングすることで、効果的にＵＳＢ伝送インタフェース装置の電流使用量を低減し、並びにこれによりＵＳＢ伝送インタフェース装置の設計上、及び使用上の便利性を高める。さらに、本発明の作業電流を低減可能なＵＳＢ伝送インタフェース装置は、ＵＳＢ伝送インタフェース装置の適用範囲及び製品の種類を拡大できる。
【発明を実施するための最良の形態】
【００１４】
図２は本発明のＵＳＢ伝送インタフェース装置の実施例の構造表示図である。図示されるように、本発明はＵＳＢクライアント側装置２１或いはＵＳＢホスト２５中に応用され、例えば内部に少なくとも一つのＵＳＢ伝送インタフェース装置のデータ保存装置（例えばＤＶＤ−ＲＯＭ、ＣＤ−Ｒ、ＣＤ−ＲＷ或いはＭＯ等）、コンピュータ周辺装置（例えばスキャナ、プリンタ、マウス、キーボード或いはカードリーダー等）、コンピュータ装置（例えばノートブック型コンピュータ、デスクトップ型コンピュータ、タブレットＰＣ等）、電子キー、マルチメディア装置、撮像装置（例えばデジタルカメラ、デジタルビデオカメラ、或いはＰＣカメラ等）、通信装置（例えば携帯電話）、３Ｃ消費性電子装置（例えばＰＤＡ）、ＩＡ情報家電装置或いは入出力（Ｉ／Ｏ）機能装置に応用される。
【００１５】
そのうち、ＵＳＢクライアント側装置２１内には少なくとも一つのクライアント側機能モジュール２１１が設けられ、該クライアント側機能モジュールはＵＳＢ伝送インタフェース装置の設計の違いにより特殊な機能及び目的を有し、例えばデータ保存モジュールとされて、それは電気的にクライアント側ＵＳＢコントローラ２１３に接続され、該クライアント側ＵＳＢコントローラ２１３はＵＳＢ改良式バス（Ｉｍｐｒｏｖｅｄ−ＵＳＢ）２９を通して少なくとも一つのＵＳＢホスト２５に接続される。またＵＳＢホスト２５（又は外在ホストと称する）内に少なくとも一つのＣＰＵ（中央処理ユニット）２５１が設けられ、ＣＰＵ２５１、ＣＰＵ２５１はＣＰＵローカルバス２５２を介して或いは直接接続方式によりホストＵＳＢコントローラ２５３に電気的に接続され、ホストＵＳＢコントローラ２５３は同様にＵＳＢ改良式バス２９によりＵＳＢクライアント側装置２１に接続される。
【００１６】
周知のＵＳＢ伝送インタフェース装置においては、ＵＳＢ標準バス（Ｓｔａｎｄａｒｄ−ＵＳＢ）がデータ伝送線とされ、ＵＳＢホスト或いはＵＳＢクライアント側装置のいずれにもＵＳＢ物理層（Ｐｈｙｓｉｃａｌ  Ｌａｙｅｒ；ＰＨＹ層）が存在する必要があり、これにより作用電流を有効に低減できない弊害がある。但し多くのＵＳＢ伝送インタフェース装置は実際の作用時に必ずしもＵＳＢ標準バスを必要とせず、例えば、ＵＳＢホスト２５とＵＳＢクライアント側装置２１を直接組み合わせる方式が可能で、このような接続方式はＵＳＢ改良式バス２９のそのうちの一つであり、ゆえにＵＳＢホスト或いはＵＳＢクライアント側装置中にＵＳＢ物理層の存在が不要となり、これにより作業電流の使用量を減らすことができる。本発明の実験によると、それは作業電流を少なくとも５５ｍＡにまで減らすことができ、これにより一般の３Ｃ消費性電子製品或いはモバイル装置に非常に適合する。
【００１７】
上述のＵＳＢ改良式バス２９は少なくとも一つのデータ信号線（図示せず）を具え、並びに選択的に同期方式或いは非同期方式でデータ或いは制御信号の伝送を行ない、並びにこれにより一般のＵＳＢプロトコルに相容する。同期データ伝送方式を採用する場合は、同期クロック信号線（図示せず）が更に必要となる。上述のデータ信号線はまたシリアル或いはパラレル構造に設計可能で、パラレルのデータ信号線とされる場合、それは４ビット、８ビット、１６ビットの各種形式に設計可能である。これにより、ＵＳＢ改良式バス２９は好ましい実施例において、データ／クロック（Ｄａｔａ／Ｃｌｏｃｋ）伝送線とされうる。
【００１８】
更に図３を参照されたい。図３は本発明の別の実施例の構造表示図である。図示されるように、この実施例では、ＵＳＢクライアント側装置３１及びＵＳＢホスト３５が個別にデュアルモード構造に設定されている。
【００１９】
そのうち、ＵＳＢクライアント側装置３１中には、上述の実施例のクライアント側機能モジュール２１１及びクライアント側ＵＳＢコントローラ３１２のほか、周知のＵＳＢ伝送インタフェース装置と同様のクライアント側ＵＳＢ物理層３１５が設けられ、該クライアント側ＵＳＢ物理層３１５はクライアント側ＵＳＢコントローラ３１２に電気的に接続されている。ＵＳＢホスト３５中にはＣＰＵ２５１、ＣＰＵローカルバス２５２及びホストＵＳＢコントローラ２５３が設けられ、且つホストＵＳＢコントローラ２５３はＵＳＢ改良式バス２９を介してＵＳＢクライアント側装置３１のクライアント側ＵＳＢコントローラ３１２に接続されている。
【００２０】
また、ＵＳＢホスト３５中には更にホストＵＳＢ物理層３５５があり、該ホストＵＳＢ物理層３５５は同様にホストＵＳＢコントローラ２５３に電気的に接続され、並びにＵＳＢ標準バス３９を通してＵＳＢクライアント側装置３１のクライアント側ＵＳＢ物理層３１５に接続されている。これにより、ＵＳＢクライアント側装置３１或いはＵＳＢホスト３５のいずれも実際の接続状況に応じて選択的にＵＳＢ改良式バス２９によりＵＳＢ改良式伝送モード（Ｉｍｐｒｏｖｅｄ−ＵＳＢ  Ｍｏｄｅ）を実行するか或いはＵＳＢ標準バス３９を通してＵＳＢ標準伝送モード（Ｓｔａｎｄａｒｄ−ＵＳＢ  Ｍｏｄｅ）を実行し、これによりＵＳＢクライアント側装置３１或いはＵＳＢホスト３５のいずれにおいてもデュアルモード装置が形成され、上述の実施例のシングルモード装置設計とは違いがある。
【００２１】
また、クライアント側ＵＳＢコントローラ３１２とＵＳＢ改良式バス２９の間に調整器３１４が設けられ、それはクライアント側ＵＳＢコントローラ３１２とＵＳＢ改良式バス２９の間のコミュニケーションツールとされて、データの伝送を更に便利とする。且つ調整器３１４の設計により、クライアント側ＵＳＢコントローラ３１２は一般に周知のクライアント側ＵＳＢコントローラと同じで、これによりモジュール化回路設計に有利である。当然、調整器３１４の作用はまた直接クライアント側ＵＳＢコントローラ３１２内で実行可能で、これにより、調整器３１４及びクライアント側ＵＳＢコントローラ３１２は整合されてクライアント側ＵＳＢコントローラ３１３とされうる。
【００２２】
また、実際の回路設計を考慮し、ＵＳＢ改良式バス２９は選択的に第１接続線３５１を通して直接ＣＰＵ２５１と接続されるか、或いは第２接続線３５２を通してＣＰＵローカルバス２５２に接続されてから更にＣＰＵ２５１に接続されるか、或いは、第３接続線３５３とホストＵＳＢコントローラ２５３を通してＣＰＵ２５１に接続される。
【００２３】
続いて、図４は本発明のまた別の実施例の構造表示図である。図示されるように、この実施例では、ＵＳＢクライアント側装置４１或いはＵＳＢホスト４５中がデュアルモード式の構造とされ、それはそれぞれ選択的に、ＵＳＢ物理層を介さないＵＳＢ改良式伝送モードとされるか、或いはＵＳＢホストＵＳＢ物理層を介するＵＳＢ標準伝送モードとされ、これにより、ＵＳＢクライアント側装置４１のクライアント側ＵＳＢコントローラ３１３（或いは調整器３１４、クライアント側ＵＳＢコントローラ３１２）、クライアント側ＵＳＢ物理層３１５及びＵＳＢバス４９の間にクライアント側モード切り換え器４３が設けられ、該クライアント側モード切り換え器４３の切り換え選択動作を通して、ＵＳＢクライアント側装置４１がＵＳＢ改良式伝送モード或いはＵＳＢ標準伝送モードとされる。該クライアント側モード切り換え器４３の機能設計はクライアント側ＵＳＢコントローラ３１２内に設計可能で、図示されるクライアント側自動モード切り換え器４３５とされうる。
【００２４】
同様にＵＳＢホスト４５にホストモード切り換え器４７が設置されるか、或いはホストＵＳＢコントローラ２５３内にホスト自動モード切り換え器４７５が設置され、それはＵＳＢホスト４５を選択的にＵＳＢ改良式伝送モード或いはＵＳＢ標準伝送モードに設定することができる。
【００２５】
ＵＳＢクライアント側装置４１及びＵＳＢホスト４５がそれぞれＵＳＢ改良式伝送モードに設定されるか、或いは自身がＵＳＢ改良式伝送モードのシングルモード装置とされる時、ＵＳＢバス４９はＵＳＢ改良式バスとされる。反対に、ＵＳＢクライアント側装置４１とＵＳＢホスト４５がＵＳＢ標準伝送モードに設定されるか、或いは自身がＵＳＢ標準伝送モードのシングルモード装置とされる時は、ＵＳＢバス４９はＵＳＢ標準バスとされる。
【００２６】
また、クライアント側モード切り換え器４３、クライアント側自動モード切り換え器４３５、ホストモード切り換え器４７、ホスト自動モード切り換え器４７５は電子式のモード切り換え器に設計可能で、電子検出方式によりＵＳＢクライアント側装置４１及びＵＳＢホスト４５を、ＵＳＢ改良式伝送モード或いはＵＳＢ標準伝送モードに切り換える。
【００２７】
また、上述のＵＳＢクライアント側装置３１には更にインタフェース（図示せず）を設置可能で、該インタフェースとしてｘＤ、メモリースティック、ＭＳプロ（ＭＳＰｒｏ）、ＣＦカード、ＳＤ、ＭＭＣ或いはスマートメディア（登録商標）のいずれかを選択可能である。
【００２８】
最後に、図５の本発明のモード設定時の動作フローチャートを参照されたい。クライアント側モード切り換え器４３、クライアント側自動モード切り換え器４３５、ホストモード切り換え器４７、ホスト自動モード切り換え器４７５が電子式のモード切り換え器とされる時、その電子検出フローは以下のステップを具えている。
ステップ６０１：  ＵＳＢクライアント側装置４１、ＵＳＢホスト４５及びＵＳＢバス４９がＵＳＢ改良式伝送モードかを検出し、ＵＳＢ改良式伝送モードであればステップ６１２を実行し、ＵＳＢ改良式伝送モードでなければ続いてステップ６０２を実行する。
ステップ６０２：  ＵＳＢクライアント側装置４１及びＵＳＢホスト４５が共同でＵＳＢ改良式伝送モードとされる明確なフラグ信号を得られなければ、すでに設定時間に到達したかを検出し、到達していればステップ６０３を実行し、到達していなければステップ６０１に戻り、続いてＵＳＢ改良式伝送モードの明確なフラグ信号を獲得するのを待つ。
ステップ６０３：  ＵＳＢクライアント側装置４１、ＵＳＢホスト４５及びＵＳＢバス４９がＵＳＢ改良式伝送モードでないことを代表するため、ＵＳＢ標準伝送モードに設定を改め、且つＵＳＢ標準伝送モードでＵＳＢデータ伝送作業を行なう。
ステップ６１２：  ＵＳＢクライアント側装置４１、ＵＳＢホスト４５及びＵＳＢバス４９がＵＳＢ改良式伝送モードであることを代表するため、ＵＳＢ改良式伝送モードでＵＳＢデータ伝送を行なう。
【００２９】
以上の説明は、本発明の好ましい実施例の説明に過ぎず、本発明の範囲を限定するものではなく、本発明の請求範囲の記載の形状、構造、特徴及び精神に基づきなし得る均等の変化と修飾は、いずれも本発明の権利請求範囲に属するものとする。
【図面の簡単な説明】
【００３０】
【図１】周知のＵＳＢ伝送インタフェース装置の構造表示図である。
【図２】本発明のＵＳＢ伝送インタフェース装置の実施例の構造表示図である。図示
【図３】本発明の別の実施例の構造表示図である。
【図４】本発明のまた別の実施例の構造表示図である。
【図５】本発明のモード設定時の動作フローチャートである。
【符号の説明】
【００３１】
１１  ＵＳＢクライアント側装置        １１１  クライアント側機能モジュール
１１３  クライアント側ＵＳＢコントローラ    １１５  クライアント側ＵＳＢ物理層
１５  ＵＳＢホスト                          １５１  ＣＰＵ
１５２  ＣＰＵローカルバス                  １５３  ホストＵＳＢコントローラ
１５５  ホストＵＳＢ物理層                  １９  ＵＳＢ標準バス
２１  ＵＳＢクライアント側装置        ２１１クライアント側機能モジュール
２１３  クライアント側ＵＳＢコントローラ    ２５  ＵＳＢホスト
２５１  ＣＰＵ                              ２５２  ＣＰＵローカルバス
２５３  ホストＵＳＢコントローラ            ２９  ＵＳＢ改良式バス
３１  ＵＳＢクライアント側装置        ３１２  クライアント側ＵＳＢコントローラ
３１３  クライアント側ＵＳＢコントローラ    ３１４  調整器
３１５  クライアント側ＵＳＢ物理層          ３５  ＵＳＢホスト
３５１  第１接続線                          ３５２  第２接続線
３５３  第３接続線                          ３５５  ホストＵＳＢ物理層
４１  ＵＳＢクライアント側装置              ３９  ＵＳＢ標準バス
４３  クライアント側モード切り換え器
４３５  クライアント側自動モード切り換え器
４５  ＵＳＢホスト
４７  ホストモード切り換え器
４９  ＵＳＢバス
４７５  ホスト自動モード切り換え器
【図１】
2005301966.tif 000003
【図２】
2005301966.tif 000004
【図３】
2005301966.tif 000005
【図４】
2005301966.tif 000006
【図５】
2005301966.tif 000007